(57)【要約】【課題】表面に離型層を有する半導電性無端ゴムベルトの包装体において、複数個の同一形状の半導電性無端ゴムベルトを被せ合わせて包装することにより、小さい空間に多数の半導電性無端ゴムベルトを収納し、しかも半導電性無端ゴムベルトに摺擦傷をつけることなく、安全に輸送することができる表面に離型層を有する半導電性無端ゴムベルトの包装体を提供する。【解決手段】表面に離型層を有する半導電性無端ゴムベルトの包装体において、複数個の同一形状の半導電性無端ゴムベルトが、幅を揃えて被せ合わされてなることを特徴とする表面に離型層を有する半導電性無端ゴムベルトの包装体。【選択図】図２
2007223617.tif 000002
【特許請求の範囲】
【請求項１】
表面に離型層を有する半導電性無端ゴムベルトの包装体において、複数個の同一形状の半導電性無端ゴムベルトが、幅を揃えて被せ合わされてなることを特徴とする表面に離型層を有する半導電性無端ゴムベルトの包装体。
【請求項２】
被せ合わされた半導電性無端ゴムベルトの内側の両端に、２本の円柱体がその中心軸が半導電性無端ゴムベルトの幅方向と平行な状態で挿通されてなる請求項１記載の表面に離型層を有する半導電性無端ゴムベルトの包装体。
【請求項３】
半導電性無端ゴムベルトの内周をＡ（ｍｍ）としたとき、円柱体の直径が０.１４Ａ〜０.１９Ａ（ｍｍ）である請求項２記載の表面に離型層を有する半導電性無端ゴムベルトの包装体。
【請求項４】
２本の円柱体が、バネにより半導電性無端ゴムベルトの内側に押し付けられてなる請求項２又は請求項３記載の表面に離型層を有する半導電性無端ゴムベルトの包装体。
【請求項５】
半導電性無端ゴムベルトの内周をＡ（ｍｍ）、厚さをＢ（ｍｍ）としたとき、半導電性無端ゴムベルトの被せ合わせ個数が、０.０２(Ａ／Ｂ)個以下である請求項１ないし請求項４のいずれか１項に記載の表面に離型層を有する半導電性無端ゴムベルトの包装体。
【発明の詳細な説明】
【技術分野】
【０００１】
本発明は、表面に離型層を有する半導電性無端ゴムベルトの包装体に関する。さらに詳しくは、本発明は、表面に離型層を有する半導電性無端ゴムベルトの包装体において、複数個の同一形状の半導電性無端ゴムベルトを被せ合わせて包装することにより、小さい空間に多数の半導電性無端ゴムベルトを収納し、しかも半導電性無端ゴムベルトに摺擦傷をつけることなく、安全に輸送することができる表面に離型層を有する半導電性無端ゴムベルトの包装体に関する。
【背景技術】
【０００２】
静電荷像現像式画像形成装置には、転写ベルト、搬送ベルトなどの無端ベルトが使用されている。このような無端ベルトには、良好な画質の画像を形成するために、曲げ癖や表面の傷がないことが求められる。このために、画像形成装置用の無端ベルトの梱包には慎重に注意が払われ、さまざまな包装方法及び包装体が開発されている。
例えば、運搬コストが低減でき、簡易な梱包作業で輸送過程での摺擦傷などを防ぐことができる半導電性シームレスベルトの梱包方法として、表面抵抗率が１０8〜１０13Ω／□とされた可撓性を有する半導電性シームレスベルトの梱包方法であって、該シームレスベルトの内周面の最近接距離が、円筒状態での直径の半分以下となる状態でシームレスベルトを容器又は枠体に保持する半導電性シームレスベルトの梱包方法が提案され、シームレスベルトの好ましい構成材料として、カーボンブラックを含有したポリイミド樹脂が挙げられている（特許文献１）。
また、近年の高画質化、高解像度化、フルカラー化した電子写真装置に使用されるベルト状写真感光体、中間転写ベルト、搬送ベルトなどのエンドレスベルトに、凹凸、癖、傷を付けることがない包装体として、エンドレスベルトの最内端の内側に挿入された円筒体Ａと、該円筒体Ａと並んで該ベルトの外側に位置する円筒体Ｃとの周りに、該エンドレスベルトが巻きつけられており、該エンドレスベルトの最外端の内側に円筒体Ｂが挿入されている包装体であって、該３本の円筒体の表面におけるＪＩＳ Ｂ ０６０１で定義される最大高さＲmaxが０.８〜１５０μｍである包装体が提案され、ベルト状のプラスチック基体として、ポリエチレンテレフタレート、ポリブチレンテレフタレート、ポリイミド、ナイロンが挙げられている（特許文献２）。
しかし、これらの梱包方法ないしは包装体は、ベルト１個ずつを包装する方式であり、いかに改良を加えても、包装体の合理化には限界がある。
【特許文献１】特開２００２−２２５９７１号公報
【特許文献２】特開２００３−３３５３８７号公報
【発明の開示】
【発明が解決しようとする課題】
【０００３】
本発明は、表面に離型層を有する半導電性無端ゴムベルトの包装体において、複数個の同一形状の半導電性無端ゴムベルトを被せ合わせて包装することにより、小さい空間に多数の半導電性無端ゴムベルトを収納し、しかも半導電性無端ゴムベルトに摺擦傷をつけることなく、安全に輸送することができる表面に離型層を有する半導電性無端ゴムベルトの包装体を提供することを目的としてなされたものである。
【課題を解決するための手段】
【０００４】
本発明者らは、上記の課題を解決すべく鋭意研究を重ねた結果、ゴムベルトはプラスチックベルトとは異なり、複数個の同一形状の半導電性無端ゴムベルトを被せ合わせて包装し、輸送しても摺擦傷が付きにくく、特に表面に離型層を有する半導電性無端ゴムベルトを被せ合わせて適切に固定することにより、半導電性無端ゴムベルトに摺擦傷を付けることなく、安全に輸送し得ることを見いだし、この知見に基づいて本発明を完成するに至った。
すなわち、本発明は、
（１）表面に離型層を有する半導電性無端ゴムベルトの包装体において、複数個の同一形状の半導電性無端ゴムベルトが、幅を揃えて被せ合わされてなることを特徴とする表面に離型層を有する半導電性無端ゴムベルトの包装体、
（２）被せ合わされた半導電性無端ゴムベルトの内側の両端に、２本の円柱体がその中心軸が半導電性無端ゴムベルトの幅方向と平行な状態で挿通されてなる(１)記載の表面に離型層を有する半導電性無端ゴムベルトの包装体、
（３）半導電性無端ゴムベルトの内周をＡ（ｍｍ）としたとき、円柱体の直径が０.１４Ａ〜０.１９Ａ（ｍｍ）である(２)記載の表面に離型層を有する半導電性無端ゴムベルトの包装体、
（４）２本の円柱体が、バネにより半導電性無端ゴムベルトの内側に押し付けられてなる(２)又は(３)記載の表面に離型層を有する半導電性無端ゴムベルトの包装体、及び、
（５）半導電性無端ゴムベルトの内周をＡ（ｍｍ）、厚さをＢ（ｍｍ）としたとき、半導電性無端ゴムベルトの被せ合わせ個数が、０.０２(Ａ／Ｂ)個以下である(１)ないし(４)のいずれか１項に記載の表面に離型層を有する半導電性無端ゴムベルトの包装体、
を提供するものである。
【発明の効果】
【０００５】
本発明の表面に離型層を有する半導電性無端ゴムベルトの包装体は、一つの包装容器の中に複数個の半導電性無端ゴムベルトを収納することができるので、梱包作業の手間を省き、包装材料を節減し、保管費と運送費を低減することができる。本発明の半導電性無端ゴムベルトの包装体は、被せ合わせた半導電性無端ゴムベルトを互いに擦れ合うことなく固定して保持することができるので、半導電性無端ゴムベルトに摺擦傷が付くおそれがない。本発明の半導電性無端ゴムベルトの包装体は、曲げ癖と表面の摺擦傷がないことが厳しく求められる静電荷像現像式画像形成装置の部品として用いる表面に離型層を有する半導電性無端ゴムベルトの包装に特に好適に用いることができる。
【発明を実施するための最良の形態】
【０００６】
本発明の表面に離型層を有する半導電性無端ゴムベルトの包装体は、複数個の同一形状の半導電性無端ゴムベルトが、幅を揃えて被せ合わされてなる包装体である。本発明の包装体とする半導電性無端ゴムベルトは、表面抵抗率が１０6〜１０13Ω／□である無端ゴムベルトである。図１は、本発明の表面に離型層を有する半導電性無端ゴムベルトの包装体の一態様の斜視図である。本態様の包装体においては、複数個の同一形状の半導電性無端ゴムベルト１が、幅を揃えて被せ合わせられている。被せ合わせる半導電性無端ゴムベルトは、より多数個とすることができるが、本明細書に添付する図面においては、簡略化のために５個の半導電性無端ゴムベルトを被せ合わせた状態として示す。この状態で複数個の半導電性無端ゴムベルトをポリエチレンフィルム、ポリプロピレンフィルムなどの包装用フィルムで包み、外装用段ボール箱に収納することが好ましい。表面に離型層を有する半導電性無端ゴムベルトは、プラスチックを素材とする無端ベルトに比べて傷がつきにくいので、保管期間と移動距離が短く、丁寧に取り扱われる場合には、図１に示す態様によって同時に複数個の同一形状の半導電性無端ゴムベルトを安全に保管し、移動させることができる。
本発明の表面に離型層を有する半導電性無端ゴムベルトの包装体は、被せ合わされた半導電性無端ゴムベルトの内側の両端に、２本の円柱体をその中心軸が半導電性無端ゴムベルトの幅方向と平行な状態で挿通することが好ましい。図２は、本発明の表面に離型層を有する半導電性無端ゴムベルトの包装体の他の態様の斜視図である。本態様の包装体においては、複数個の同一形状の半導電性無端ゴムベルト１が、幅を揃えて被せ合わせられ、被せ合わされた半導電性無端ゴムベルトの内側の両端に２本の円柱体２が挿通されている。被せ合わされた半導電性無端ゴムベルトの内側の両端に２本の円柱体を挿通することにより、半導電性無端ゴムベルトの折り曲がり部分の曲率半径が、ほぼ円柱体の曲率半径となるので、図１に示す態様に比べて、包装体の保管期間が長くなっても、半導電性無端ゴムベルトに曲げ癖がつくことを防止することができる。
【０００７】
本発明の表面に離型層を有する半導電性無端ゴムベルトの包装体は、被せ合わされた半導電性無端ゴムベルトの内側の両端に２本の円柱体を挿通する場合、半導電性無端ゴムベルトの内周をＡ（ｍｍ）としたとき、円柱体の直径が０.１４Ａ〜０.１９Ａ（ｍｍ）であることが好ましく、０.１５Ａ〜０.１７Ａ（ｍｍ）であることがより好ましい。図３は、本発明の表面に離型層を有する半導電性無端ゴムベルトの包装体の他の態様の側面図である。本態様においては、複数個の内周３４２ｍｍの半導電性無端ゴムベルト１が被せ合わされ、直径５４ｍｍの２本の円柱体２が被せ合わされた半導電性無端ゴムベルトの内側の両端に挿通されている。内周Ａ（ｍｍ）の半導電性無端ゴムベルトに対して、直径０.１４Ａ〜０.１９Ａ（ｍｍ）の円柱体を挿通すると、円柱体に直接又は内側の半導電性無端ゴムベルトを介して間接的に接触する半導電性無端ゴムベルトの部分が多くなり、円柱体により半導電性無端ゴムベルトを安定に保持することができる。内周Ａ（ｍｍ）の半導電性無端ゴムベルトに対して、円柱体の直径が０.１４Ａ（ｍｍ）未満であると、円柱体に直接又は内側の半導電性無端ゴムベルトを介して間接的に接触する半導電性無端ゴムベルトの部分が少なくなり、半導電性無端ゴムベルトを安定に保持する効果が十分に発現しないおそれがある。内周Ａ（ｍｍ）の半導電性無端ゴムベルトに対して、円柱体の直径が０.１９Ａ（ｍｍ）を超えると、被せ合わせることができる半導電性無端ゴムベルトの個数が少なくなって、経済性が損なわれるおそれがある。
【０００８】
本発明の表面に離型層を有する半導電性無端ゴムベルトの包装体においては、被せ合わされた半導電性無端ゴムベルトの内側の両端に挿通された２本の円柱体を、バネにより半導電性無端ゴムベルトの内側に押し付けることができる。図４は、本発明の表面に離型層を有する半導電性無端ゴムベルトの包装体の他の態様の側面図である。本態様においては、複数個の半導電性無端ゴムベルト１が被せ合わされ、２本の円柱体２が被せ合わされた半導電性無端ゴムベルトの内側の両端に挿通され、２本の円柱体がバネ３により半導電性無端ゴムベルトの内側に押し付けられている。バネは、図示されていない円柱体の他の底面側にも設けられている。被せ合わされた半導電性無端ゴムベルトが、内側の両端に挿通された２本の円柱体にはたらくバネの力により押し付けられるので、複数個の半導電性無端ゴムベルトは極めて安定に保持され、隣接する半導電性無端ゴムベルトがずれて擦れ合うおそれがない。この状態で表面に離型層を有する半導電性無端ゴムベルトの包装体をポリエチレンフィルム、ポリプロピレンフィルムなどの包装用フィルムで包み、外装用段ボール箱に収納することにより、半導電性無端ゴムベルトに摺擦傷をつけることなく、悪路であってもトラックなどにより輸送することができる。
本発明の表面に離型層を有する半導電性無端ゴムベルトの包装体においては、半導電性無端ゴムベルトの内周をＡ（ｍｍ）、厚さをＢ（ｍｍ）としたとき、半導電性無端ゴムベルトの被せ合わせ個数が、０.０２(Ａ／Ｂ)個以下であることが好ましく、０.０１(Ａ／Ｂ)個以下であることがより好ましい。半導電性無端ゴムベルトの被せ合わせ個数が０.０２(Ａ／Ｂ)個を超えると、内側の半導電性無端ゴムベルトに外側の半導電性無端ゴムベルトの圧縮力がはたらいて、内側の半導電性無端ゴムベルトにシワ、歪みなどが発生するおそれがある。
【０００９】
本発明は、内周が１２０〜６００ｍｍであり、厚さが０.３〜１.０ｍｍである表面に離型層を有する半導電性無端ゴムベルトの包装に好適に適用することができる。内周が１２０ｍｍ未満の半導電性無端ゴムベルトは微小であり、個別の包装形態を適用する方が好ましい場合が多い。内周が６００ｍｍを超える半導電性無端ゴムベルトは、複数個を被せ合わせる作業が困難となるおそれがある。厚さが０.３ｍｍ未満の半導電性無端ゴムベルトは、強度が低いので１個ずつ包装することが好ましい場合が多い。厚さが１.０ｍｍを超える半導電性無端ゴムベルトは、複数個を被せ合わせると、最内側の半導電性無端ゴムベルトが大きく変形して、シワ、歪みなどが発生するおそれがある。
本発明において、半導電性無端ゴムベルトに形成する離型層に特に制限はなく、例えば、ポリテトラフルオロエチレン微粉末、シリコーンパウダー、黒鉛などを配合したポリウレタン樹脂層を挙げることができる。これらの中で、ポリテトラフルオロエチレン微粉末を配合したポリウレタン樹脂層を離型層とする半導電性無端ゴムベルトは、本発明の包装体としたとき、輸送中などにおいて極めて摺擦傷がつきにくく、画像形成装置の部品として用いたときに優れた離型性を示すので、好適に用いることができる。
本発明の表面に離型層を有する半導電性無端ゴムベルトの包装体は、静電荷像現像式画像形成装置に用いる半導電性無端ゴムベルトの包装に特に好適に適用することができる。静電荷像現像式画像形成装置の半導電性無端ゴムベルトは、極めて小さい傷や曲げ癖が画像の品質の低下を招く原因となるので、本発明の包装体を適用して合理的、経済的に包装し、輸送して、しかも高画質を与える静電荷像現像式画像形成装置を製造することができる。
【産業上の利用可能性】
【００１０】
本発明の表面に離型層を有する半導電性無端ゴムベルトの包装体によれば、表面に離型層を有する複数個の同一形状の半導電性無端ゴムベルトを被せ合わせて包装し、小さい空間に多数の半導電性無端ゴムベルトを収納し、しかも半導電性無端ゴムベルトに摺擦傷をつけることなく、安全に輸送することができる。本発明の表面に離型層を有する半導電性無端ゴムベルトの包装体は、静電荷像現像式画像形成装置の部品として用いる半導電性無端ゴムベルトの包装に特に好適に適用することができる。
【図面の簡単な説明】
【００１１】
【図１】本発明の包装体の一態様の斜視図である。
【図２】本発明の包装体の他の態様の斜視図である。
【図３】本発明の包装体の他の態様の側面図である。
【図４】本発明の包装体の他の態様の側面図である。
【符号の説明】
【００１２】
１  半導電性無端ゴムベルト
２  円柱体
３  バネ
【図１】
2007223617.tif 000003
【図２】
2007223617.tif 000004
【図３】
2007223617.tif 000005
【図４】
2007223617.tif 000006